(57)【要約】      （修正有）【課題】一般的な野地材等の下地に対し、菱葺き外装材等の外装材を目視にて確認しつつ適正位置に位置調整して安定に取り付けることができる外装構造の施工法、及び外装構造を提供する。【解決手段】外装材１は、少なくとも水上側に位置して隣接する二辺１１２，１１２に、表面側に折曲して被係合部１２が設けられ、水下側に位置して隣接する二辺１１３，１１３に、裏面側に折曲して係合部１３が設けられ、被係合部１２が設けられる一辺１１２の側端に位置する側端角部１１５，１１６に位置決め部を形成してなり、下地に前記外装材１を取り付ける第１の工程と、被係合部１２に対し、係合部１３を係合させる第２の工程と、外装材１の水上側頂部又は該水上側頂部を下地に取付保持する保持材５に設けた合わせ部１７，５１２に対し、その水上側に隣接する外装材１Ｒの位置決め部を配置させて位置調整を行う第３の工程と、からなる。【選択図】図１
2016217053.tif 000002
【特許請求の範囲】
【請求項１】
面板部の周縁を表面側或いは裏面側に折曲して係合部、被係合部をそれぞれ成形した外装材を、下地に取り付け、隣接する外装材同士が相互に係合して敷設される外装構造の施工法であって、
前記外装材は、少なくとも水上側に位置して隣接する二辺に、表面側に折曲して被係合部が設けられ、水下側に位置して隣接する二辺に、裏面側に折曲して係合部が設けられ、前記被係合部が設けられる一辺の側端に位置する側端角部に位置決め部を形成してなり、
下地に前記外装材を取り付ける第１の工程と、
取り付けた前記外装材の被係合部に対し、その水上側に隣接する外装材を臨ませて係合部を係合させる第２の工程と、
前記外装材の水上側頂部又は該水上側頂部を下地に取付保持する保持材に設けた合わせ部に対し、その水上側に隣接する外装材の位置決め部を配置させて位置調整を行う第３の工程と、
からなることを特徴とする外装構造の施工法。
【請求項２】
第３の工程にて取り付けた外装材に対し、前記合わせ部を挟んで対向するように外装材を配置させて取り付ける第４の工程を行うことを特徴とする請求項１に記載の外装構造の施工法。
【請求項３】
請求項１又は２に記載の施工法により施工される外装構造であって、
前記外装材の水上側頂部又は該水上側頂部を下地に取付保持する保持材に、合わせ部を形成し、該合わせ部に対し、その水上側に隣接する外装材の位置決め部を配置させて位置調整を行いつつ相互に係合させたことを特徴とする外装構造。
【発明の詳細な説明】
【技術分野】
【０００１】
本発明は、一般的な野地材等の下地に対し、菱葺き外装材等の外装材を目視にて確認しつつ適正位置に位置調整して配設することができる外装構造の施工法、及び外装構造に関する。
【背景技術】
【０００２】
一般的に平葺きは、比較的小単位の外装材を重ねて葺いていく工法であり、通常の板金工具で施工でき、極めて多種の屋根に広く適用され、例えば神社・仏閣や住宅など木造建築の屋根を中心に広く適用されている。この平葺きに属する菱葺きは、外装材が菱形を呈するという意匠性に加え、裏面側に生成される結露の殆どを水下側の屋根材の表面側へ排出、流下させることができるため、下地材への水分の影響も少ないという構造的利点をも有している。
【０００３】
このような菱葺きに関する構造としては、例えば特許文献１，２に記載の構造が知られていた。
特許文献１には、一つの屋根材（金属製の面材１１）の水上側の斜辺（係合受部１２，１２Ａ）を複数の吊子（１８）で固定する構造が記載されている。なお、屋根材の水上側先端の頂部は、折り重ねられている。
特許文献２には、屋根材（平葺建築用板Ａ）の水上側先端の頂部を吊子（Ｄ）で固定する構造が記載されている。
なお、このような面状屋根材を敷設する場合（但し、下地形状が特殊な前記特許文献２は除く）、下地上に墨出しを行い、その墨出し線に対して、面材の頂部が位置するように順次固定される方法が採られている。
【先行技術文献】
【特許文献】
【０００４】
【特許文献１】実公平７−１１２１９号公報
【特許文献２】特開平２−１２８０４９号公報
【発明の開示】
【発明が解決しようとする課題】
【０００５】
しかしながら、前記特許文献１の構造では、下地上に墨出しを行い、その「線」に対して、屋根材の頂部が位置するように順次固定されるため、係合受部１２，１２Ａを複数の吊子１８で固定する際に、墨出し線に対して交わる方向に吊子１８を係止させながら固定する必要があり、ズレが生じないように押さえながら固定する作業は、非常に施工の手間がかかるものであった。
また、前記特許文献２の構造では、吊子を固定する野地材（下地材Ｃ）が、表面に凹凸状の段差を多数有する特殊なものであり、屋根材も、その水上側端縁に立ち上げ部が形成される構成であり、吊子は、舌片１０を後から折り曲げて屋根材を固定するものである。そのため、用いる特殊な野地材や吊子、屋根材を製造する手間や費用がかかり、また施工にも手間がかかり、さらに吊子の折り曲げに不具合があると、次段の屋根材との係合ができなくなる虞があった。
【０００６】
そこで、本発明は、一般的な野地材等の下地に対し、菱葺き外装材等の外装材を目視にて確認しつつ適正位置に位置調整して安定に取り付けることができる外装構造の施工法、及び外装構造を提案することを目的とする。
【課題を解決するための手段】
【０００７】
本発明は、上記に鑑み提案されたもので、面板部の周縁を表面側或いは裏面側に折曲して係合部、被係合部をそれぞれ成形した外装材を、下地に取り付け、隣接する外装材同士が相互に係合して敷設される外装構造の施工法であって、前記外装材は、少なくとも水上側に位置して隣接する二辺に、表面側に折曲して被係合部が設けられ、水下側に位置して隣接する二辺に、裏面側に折曲して係合部が設けられ、前記被係合部が設けられる一辺の側端に位置する側端角部に位置決め部を形成してなり、下地に前記外装材を取り付ける第１の工程と、取り付けた前記外装材の被係合部に対し、その（斜め）水上側に隣接する外装材を臨ませて係合部を係合させる第２の工程と、前記外装材の水上側頂部又は該水上側頂部を下地に取付保持する保持材に設けた合わせ部に対し、その（斜め）水上側に隣接する外装材の位置決め部を配置させて位置調整を行う第３の工程と、からなることを特徴とする外装構造の施工法を提案するものである。
なお、この位置調整は、合わせ部に位置決め部が平面視的に重なる（接する）ものに限定されず、例えば合わせ部を通過する直線（＝流れ方向に平行な想定線）上に位置決め部が位置するように配置するものでもよく、二つの外装材の位置決め部が前記合わせ部を通過する直線に対向状に配置するものでもよい。
【０００８】
また、本発明は、前記外装構造の施工法において、第３の工程にて取り付けた外装材に対し、前記合わせ部を挟んで対向するように外装材を配置させて取り付ける第４の工程を行うことを特徴とする外装構造の施工法をも提案する。
【０００９】
さらに、本発明は、前記施工法により施工される外装構造であって、外装材の水上側頂部又は該水上側頂部を下地に取付保持する保持材に、合わせ部を形成し、該合わせ部に対し、前記外装材の水上側に隣接する外装材の位置決め部を配置させて位置調整を行いつつ相互に係合させたことを特徴とする外装構造を提案するものである。
【発明の効果】
【００１０】
本発明の外装構造の施工法は、外装材を取り付ける第１の工程も、その水上側に隣接する外装材を係合させる第２の工程も、位置調整を行う第３の工程も極めて容易に行うことができ、実用的価値が極めて高い。一般的な野地材等の下地に対し、外装材の水上側頂部又は該水上側頂部を下地に取付保持する保持材に形成した合わせ部を目視しながら、その（斜め）水上側に隣接させる外装材の側端角部に形成した位置決め部を位置調整を行って外装材を適正位置に取り付けることができる。
【００１１】
また、第３の工程にて取り付けた外装材に対し、前記合わせ部を挟んで対向するように外装材を配置させて取り付ける第４の工程を行う場合も、極めて容易に行うことができ、実用的価値が極めて高い。
【００１２】
さらに、本発明の外装構造は、優れた意匠性を有し、且つ構造的利点を備える菱葺き外装構造を容易に且つ高い精度で施工したものである。
【図面の簡単な説明】
【００１３】
【図１】（ａ）本発明の第１実施例の外装構造の施工法における第１の工程を示す平面図、（ｂ）第２、第３の工程を示す平面図、（ｃ）第４の工程を示す平面図である。
【図２】（ａ）施工された第１実施例の外装構造の一部を示す平面図、（ｂ）その断面図、（ｃ）用いた外装材を示す平面図である。
【図３】（ａ）第１実施例における外装材の一辺が鉛直方向を向いた状態を示す平面図、（ｂ）その状態における鉛直方向側から見た側面図、（ｃ）その拡大側面図、（ｄ）第１実施例における支持部材（下地）を示す拡大断面図である。
【図４】第１実施例の（菱形）外装材のみを用いた外装構造を示す平面図である。
【図５】（ａ）第２実施例の（菱形）外装材を用いた外装構造を示す平面図、（ｂ）その要部の拡大平面図である。
【図６】（ａ）第３実施例の縦置きの（菱形）外装材を保持部材で取り付けた外装構造を示す正面図、（ｂ）その要部の拡大平面図、（ｃ）その下地構造を示す断面図である。
【図７】第４実施例の縦置きの（菱形）外装材をビス（固着具）で取り付けた外装構造を示す正面図である。
【発明を実施するための形態】
【００１４】
本発明の外装構造の施工法は、面板部(a-1)の周縁を表面側或いは裏面側に折曲して係合部(a-3)、被係合部(a-2)をそれぞれ成形した外装材（Ａ）を、下地（Ｂ）に取り付け、隣接する外装材同士が相互に係合して敷設されるものであり、以下に示す第１〜第３の工程からなる。
なお、本発明に用いられる前記外装材（Ａ）は、少なくとも水上側に位置して隣接する二辺に、表面側に折曲して被係合部(a-2)が設けられ、水下側に位置して隣接する二辺に、裏面側に折曲して係合部(a-3)が設けられ、前記被係合部(a-2)が設けられる一辺と前記係合部(a-3)が設けられる一辺に挟まれる角部（側端角部）に位置決め部(a-4)を形成した構成である。
【００１５】
本発明の外装構造の施工法を構成する第１の工程は、前記下地（Ｂ）に前記外装材（Ａ）を取り付けるものである。また、第２の工程は、取り付けた外装材の被係合部(a-2)に対し、その水上側に隣接する外装材を水下側から水上側に向かうように配設して係合部(a-3)を係合させるものである。また、第３の工程は、前記保持材（Ｃ）又は取り付けた外装材（Ａ）に形成した合わせ部(a-5又はc-3)に、その水上側に隣接する外装材の位置決め部(a-4)を配置させて位置調整を行うものである。
なお、外装材（Ａ）は、下地（Ｂ）に直接固定してもよいし、下地（Ｂ）に固定した保持材（Ｃ）を介して取付保持するようにしてもよい。
【００１６】
そして、前記施工法により施工される外装構造は、前記外装材（Ａ）の水上側頂部又は前記保持材（Ｃ）には、合わせ部(a-5又はc-3)が形成され、該合わせ部(a-5又はc-3)に対し、隣接する外装材（Ａ）の側端角部に形成した位置決め部(a-4)を配置させて位置調整を行いつつ相互に係合させた構成である。
なお、以下、外装材（Ａ）、下地（Ｂ）、保持材（Ｃ）の順で詳細に説明する。
【００１７】
前述のように外装材（Ａ）は、隣接する外装材同士が相互に係合するものであり、面板部(a-1)と、被係合部(a-2)と、係合部(a-3)と、位置決め部(a-4)とを有する。この外装材としては、図示実施例のように菱形外装材でもよいし、それ以外の矩形状（菱形以外の平行四辺形等）でもよく、水上側頂部が形成される六角形等の多角形状でもよい。
矩形状の外装材（Ａ）を例にすると、敷設状態の面板部(a-1)の水上側頂部を挟んだ二辺を表面側に折り返して被係合部(a-2)とし、他の二片を裏面側に折り返して係合部(a-3)とする。
【００１８】
面板部(a-1)は、この外装材（Ａ）が図示実施例のように菱形外装材の場合には菱形に成形され、それ以外の矩形状の場合や六角形等の多角形状に形成される外装材の場合にもそれに応じた形状に成形される。
【００１９】
被係合部(a-2)は、前述のように少なくとも水上側に位置して隣接する二辺に形成されるものであって、面板部の水上側端縁を表面側に折曲した構成であり、後述する図示実施例（第１実施例）のようにプレス加工等により折返し基端を連続状に形成したものでも、被係合部の端縁同士が突き合わせ状、被係合部の端部が重合状でもよい。なお、重合状とは、被係合部を順次折り曲げ加工等により重なって折り曲げられた状態を指す。
【００２０】
係合部(a-3)は、前述のように少なくとも水下側に位置して隣接する二辺に形成されるものであって、面板部の水下側端縁を裏面側に折曲した構成である。隣接する外装材同士が相互に係合するので、前記被係合部(a-2)と係合するものである。
【００２１】
位置決め部(a-4)は、前述のように前記被係合部(a-2)が設けられる一辺の側端に位置する側端角部に形成されるものであって、図示実施例のように菱形外装材の場合には前記被係合部(a-2)が設けられる一辺と前記係合部(a-3)が設けられる一辺に挟まれる側端角部に形成されるものである。なお、この側端角部が、図示実施例のように突部を有する形状であれば特に加工を必要としないが、当該側端角部付近に円、線等の突部を設ける加工を行うようにしてもよい。
【００２２】
合わせ部(a-5又はc-3)は、前述のように保持材（Ｂ）に設けてもよいし、当該外装材（Ａ）の水上側頂部に設けてもよく、その両方に設けるようにしてもよい。外装材（Ａ）に設ける合わせ部(a-5)は、二辺の被係合部(a-2)の内側隅部や外側角部であれば特に加工を必要としないが、被係合部(a-2)や面板部(a-1)に円、線等の突部を設ける加工を行うようにしてもよい。
【００２３】
前述のように下地（Ｂ）は、外装材（Ａ）が配設される屋根下地又は壁面下地を指し、例えば保持材（Ｃ）を用いる場合には、この保持材（Ｃ）を固定する取付対象（面）を指す。この下地（Ｂ）は、後述する図示実施例（第１実施例等）では流れ方向又はそれと直交する方向に連続する支持部材（垂木）を用い、該支持部材間に野地材等の断熱材を配した構造としたが、特にこの構成を限定するものではなく、野地材（のみ）を下地としてもよい。その場合、野地材（下地）上に直接外装材（Ａ）を固定するものでもよい。
【００２４】
なお、支持部材を実質的に下地（Ｂ）として配設する場合には、使用する外装材に応じて支持部材の配設方向を適宜に設定してもよい。例えば図示実施例のように連続状の支持部材（Ｂ）上に保持材（Ｃ）を固定して外装材（Ａ）を取り付ける場合を想定すると、第１実施例のように水上側頂部が鈍角となる外装材（Ａ）では、支持部材（Ｂ）は水流れ方向に連続するように配設し、第３，４実施例のように水上側頂部が鋭角となる外装材（Ａ）では、支持部材（Ｂ）は水流れ方向に直交する方向に連続するように配設することが好ましい。
【００２５】
前述のように保持材（Ｃ）は、外装材（Ａ）を下地（Ｂ）に固着具等にて直接固定する場合には必要とせず、下地（Ｂ）に外装材（Ａ）を取付保持するために用いる場合に用いる部材である。
この保持材（Ｃ）は、下地（Ｂ）への固定部(c-1)と、前記外装材（Ａ）の水上側の二辺に形成される被係合部(a-2)にそれぞれ係合する係止部(c-2)と、を有する構成が基本的であるが、本発明に用いる保持材（Ｃ）は、前記外装材（Ａ）の部位説明にて行った合わせ部を設ける設けないに関わらず、この保持材（Ｃ）に（も）設けるようにしてもよい。この保持材（Ｃ）に設ける合わせ部(c-3)は、前記固定部(c-1)の水上側に設けることが望ましく、特に下地（Ｂ）として前記支持部材を用いない場合に有用である。更に、前記係止部(c-2)に近接して裏面側を目視可能な開口部(c-4)を設けてもよい。
【００２６】
位置調整は、前記合わせ部(a-5又はc-3)と前記位置決め部(a-4)とが平面視的に重なるものに限定されず、この合わせ部を通過する直線（＝流れ方向に平行な想定線）上に、外装材（Ａ）に設けた位置決め部(a-4)が位置するように配置してもよい。また、合わせ部(a-5又はc-3)を二箇所に設けた場合には、該合わせ部同士を結ぶ直線上に、外装材（Ａ）に設けた位置決め部(a-4)が位置するように配置すればよく、極めて容易に位置調整を行うことができる。
なお、外装材（Ａ）又は保持材（Ｃ）に設けた合わせ部(a-5又はc-3)に対し、その水上側に隣接する外装材（Ａ）を配置する操作（作業）は、水下側から水上側に向かって臨ませ、被係合部(a-2)に係合部(a-3)を係合させた状態となるように位置調整できるので、容易に行うことができる。
特に外装材（Ａ）又は保持材（Ｃ）に設けた合わせ部(a-5又はc-3)に対し、その水上側に隣接する二つの外装材（Ａ）を配置する操作（作業）では、二つの外装材（Ａ）の側端角部（位置決め部(a-4)）を突き合わせるように（例えば突き過ぎて重ならないように）目視しながら位置調整できるので、極めて容易に行うことができる。
【００２７】
前記第１の工程は、前述のように下地（Ｂ）に外装材（Ａ）を取り付けるものであり、下地（Ｂ）に外装材（Ａ）を固着具等にて直接固定してもよいし、下地（Ｂ）に固定した保持材（Ｃ）にて外装材（Ａ）を取付保持するものでもよく、容易に行うことができる。
前記第２の工程は、前述のように外装材（Ａ）を水下側から水上側に向かって臨ませ、被係合部(a-2)に係合部(a-3)を係合させるように位置調整できるので、容易に行うことができる。
前記第３の工程は、外装材（Ａ）の水上側頂部又は保持材（Ｃ）に形成した合わせ部(a-5又はc-3)を目視しながらその水上側に隣接させる外装材（Ａ）の側端角部に形成した位置決め部(a-4)を位置調整を行うので、これも容易に行うことができる。
したがって、本発明の施工法は、外装材（Ａ）を適正位置に容易に取り付けることができ、実用的価値が極めて高い。そして、優れた意匠性を有し、且つ構造的利点を備える菱葺き外装構造を容易に且つ高い精度で施工することができる。
【００２８】
また、外装材（Ａ）又は保持材（Ｃ）に設けた合わせ部(a-5又はc-3)に対し、その水上側に隣接する二つの外装材（Ａ）を、各位置決め部(a-4)が対向するように配置させて位置調整を行いつつ相互に係合させた外装構造では、配設途中で二つの外装材（Ａ）を突き合わせるように目視しながら双方の外装材（Ａ）の位置調整をより容易に行うことができる。
【実施例１】
【００２９】
本発明の外装構造の施工法は、図１（ａ）に示すように、下地に外装材１を取り付ける第１の工程と、図１（ｂ）に示すように取り付けた外装材１の被係合部１２に対し、その右斜め水上側に隣接する外装材１Ｒを臨ませて係合部１３を係合させる第２の工程と、前記外装材１の水上側頂部１１１又は該水上側頂部１１１を下地に取付保持する保持材５に設けた合わせ部１７，５１２に対し、その右斜め水上側に隣接する外装材１Ｒの位置決め部１６を配置させて位置調整を行う第３の工程と、からなる。なお、図１（ｃ）に示すのは、前記第３の工程にて取り付けた外装材１Ｒに対し、前記合わせ部１７，５１２を挟んで対向するように左斜め水上側に隣接する外装材１Ｌを配置させて取り付ける状態を示している。
【００３０】
この施工法に用いる外装材１は、図１〜４に示す第１実施例に示すように面板部１１の周縁を表面側或いは裏面側に折曲して係合部１３、被係合部１２をそれぞれ成形してなり、隣接する外装材１，１同士が相互に係合するように敷設するものである。
そして、少なくとも水上側に位置して隣接する二辺１１２，１１２には、表面側に折曲して被係合部１２が設けられ、水下側に位置して隣接する二辺１１３，１１３には、裏面側に折曲して係合部１３が設けられ、前記被係合部１２が設けられる一辺１１２の側端に位置する側端角部１１５，１１６に位置決め部１５，１６を形成してなる。なお、この第１実施例では、この側端角部１１５，１１６は、前記被係合部１２が設けられる一辺１１２と前記係合部１３が設けられる一辺１１３に挟まれると言い換えることもできる。
また、前記外装材１の水上側頂部１１１に合わせ部１７を、該水上側頂部１１１を下地２に取付保持する保持材５に合わせ部５１２，５３１を形成し、これらの合わせ部１７，５１２，５３１に対し、前記外装材１の斜め水上側に隣接する外装材１（Ｒ），１（Ｌ）の位置決め部１５，１６を配置させて位置調整を行いつつ相互に係合させている。
【００３１】
この第１実施例の外装材１は、図２（ｃ）に示すように両側方の角部１１５，１１６が切り込まれた厳密には略六角形状の面板部１１を有する菱形外装材であり、金属板材をプレス加工等により成形されたものである。この外装材１は、図２（ａ）に示す外装構造では水上側頂部１１１及び水下側角部１１４が鈍角となるように取り付けられている。言い換えればこの面板部１１は、水上側頂部１１１（及び対向する水下側角部１１４）が鈍角である横長の菱型形である。なお、前記合わせ部１７，５１２，５３１のうち、外装材１に形成した合わせ部１７は、面板部１１の水上側頂部１１１に形成された円形の突起ポイント状であり、前記位置決め部１５，１６は、側端角部１１５，１１６のうちの（側方への）突出状部分である。前記水下側頂部１１１及び水下側角部１１４の外側（外周）は、なだらかに形成され、前記側端角部１１５，１１６は、多角状に形成されている。
前記被係合部１２は、水上側（図面では上側）に位置して略一定幅に表面側に折曲された略逆Ｖ字状であり、折返し端縁が切除された平面視段差状の係止受部１４，１４を設けている。この被係合部１２は、水上側頂部１１１において前述のようにプレス加工等により隣接する二辺１１２，１１２に跨がって連続状に形成した。また、前記係止受部１４，１４の僅かに水下側には、突起ポイント状の合わせ部１７が形成されている。
前記係合部１３は、水下側（図面では下側）に位置して略一定幅に裏面側に折曲された略Ｖ字状であり、水下側角部１１４において前述のようにプレス加工等により隣接する二辺１１３，１１３に跨がって連続状に形成した。
【００３２】
また、この第１実施例の下地２は、図２（ｂ）及び図３（ｄ）に示すように水流れ方向に連続する支持部材であって、この支持部材２の配設間隔には断熱材３が配設され、その裏面側には異なる野地材等の断熱材４が配設されて下地構造を形成している。
前記支持部材２（下地）は、上面を形成する頂面部と、側面を形成する縦面部と、該縦面部の下端を外側へ折り曲げて形成した固定部とからなる断面略ハット状であり、前記頂面部に前記外装材１の水上側頂部１１１を下地２に取付保持する保持材５が固定される。
【００３３】
この外装材１を取付保持する保持材５は、図３（ｄ）に示すように同図には図示しない前記下地（支持部材）２に固定される固定部５１（５１１は固定具用の孔）と、前記外装材１の係合受部１４，１４にそれぞれ係合する係止部５２，５２と、を有し、該係止部５２，５２間には段部５３を備える構成である。また、前記段部５３の中央隅部である合わせ部５３１と、前記固定部５１の水上側端縁中央を切り込んだ合わせ部５１２とが設けられている。
【００３４】
なお、図２（ａ）に符号６にて示される外装材は、軒端に配設される平面視三角形状の軒端用外装材であって、略三角形状の面板部６１の水上側に位置して隣接する二辺には、前記菱形外装材である外装材１と同様に被係合部６２が設けられ、隣接する外装材１の係合部１３が係合する点でも同様である。また、この軒端用外装材６にも、前記外装材１と同様に面板部６１の水上側頂部に円形の突起ポイント状に合わせ部６７が形成され、被係合部６２に保持材の係止部５２，５２が係止される係止受部６４，６４が設けられ、側端角部６１５，６１６には、突出状の位置決め部６５，６６が設けられている。
【００３５】
施工手順としては、図１（ａ）に示す第１の工程として、下地（支持部材）２に外装材１を取り付ける。この第１実施例では、前述のように保持材５を用いて外装材１を取り付ける構成であるから、先に前述の下地構造を構築した後、支持部材２に対し、保持材５を固定すると共に外装材１の水上側頂部１１１を保持させて取り付ける。
この第１の工程では、外装材１の合わせ部１７と保持材の合わせ部５１２，５３１とが直線状に並ぶように配設すればよく、容易に且つ適正位置に取り付けることができる。
【００３６】
次に、図１（ｂ）に示す第２の工程として、取り付けた外装材１の被係合部１２に対し、その斜め水上側に隣接する外装材１Ｒを臨ませて係合部１３を係合させる。この工程は、取り付けた外装材１の被係合部１２に対し、その斜め水上側に隣接する外装材１Ｒを、水下側から水上側に向かうように配設して係合部１３を係合させる。
続いて、第３の工程として、前記外装材１の水上側頂部１１１及び保持材５に設けた合わせ部１７，５１２，５３１に対し、その斜め水上側に隣接する外装材１Ｒの位置決め部１６を配置させて位置調整を行う。
【００３７】
即ち前記この第２の工程では、取り付けた外装材１の傾斜状の一辺１１２に形成された被係合部１２に、外装材１Ｒの傾斜状の一辺１１３に形成された係合部１３を係合させるものであり、略逆Ｖ字状の被係合部１２，１２の一方に対して、外装材１Ｒの略Ｖ字状の係合部１３，１３の一方を水下側から水上側に向かうように配設させて係合させる。
また、前記第３の工程では、前記第２の工程にて係合させた外装材１Ｒを、外装材１の合わせ部１７及び保持材５の合わせ部５１２，５３１に対して位置決め部１６が配置させるように位置調整する。
【００３８】
その後、図１（ｃ）に示す第４の工程として、合わせ部１７，５１２，５３１を挟んで対向するように外装材１Ｌを配置させて取り付ける。
この第４の工程では、前記第３の工程にて取り付けた外装材１Ｒの側端角部１１６と突き合わせるように外装材１Ｌの側端角部１１５を配設するのであるが、基本的な配設方法は、前記第２，第３の工程と全く同様に行う。
【００３９】
なお、このように本発明では、前記第３の工程にて適正な位置に外装材１を取り付けることができるが、それに応じて前記保持材５も併せて配設することができ、この点は前記第４の工程も同様である。したがって、取り付けた外装材１を基準として、同様に前記第１〜第３の工程を繰り返し実施することにより、屋根面に連続的に外装材１を取り付けることができる。
【００４０】
このように施工された本発明の外装構造は、下地（支持部材）２に対し、外装材１の水上側頂部１１１及び保持材５に形成した合わせ部１７，５１２，５３１を目視しながら、その水上側に隣接させる外装材１の側端角部１１５（又は１１６）に形成した位置決め部１５（又は１６）を位置調整を行って外装材１を適正位置に取り付けることができる。したがって、優れた意匠性を有し、且つ構造的利点を備える菱葺き外装構造を容易に且つ高い精度で施工することができる。
【００４１】
なお、この第１実施例では、前記のように外装材１を下地２に取り付けるために用いた保持材５に係止部５２を設け、外装材１の被係合部１２の折返し端片が平面視段差状切除された係止受部１４を設けているので、その係合深さが不均一となることがなく、外装材１の係合状態を均一に且つ確実に行うことができる。
【００４２】
図２（ａ）に示される外装構造では、第１の工程で取り付ける外装材１に代えて、前記軒端用外装材６を用いてもよい。前述のようにこの三角形状の軒端用外装材６は、菱形外装材である外装材１と同様に被係合部１２、合わせ部１７、位置決め部１５，１６に相当する被係合部６２、合わせ部６４、位置決め部６５，６６を有するので、全く同様に施工することができる。
【００４３】
前記軒端用外装材６を除く前記外装材１のみを敷設した図４の外装構造は、前記第１〜第３の工程（及び第４の工程）を連続的に行って外装材１を敷設したものである。なお、図中の外装材１の面板部１１に付記したカタカナ符号は、「ア」が前記第１の工程で取り付ける外装材１とした場合に、「イ」が前記第２，第３の工程にて取り付ける外装材１を示し、「ウ」が前記第４の工程にて取り付ける外装材１を示している。また、図中の「エ」は、その後に「イ」の外装材１及び「ウ」の外装材１に跨って取り付けられる外装材１を示している。
【００４４】
図５に示す外装構造は、前記第１実施例における外装材１の突起ポイント状の合わせ部１７を設けていない以外は全く同様の外装材１Ｂを用いた第２実施例の外装構造であり、外装材１Ｂには合わせ部（１７）を設けていないが、前記第１実施例と全く同じ保持材５を用い、この保持材５には合わせ部５１２，５３１が設けられているので、前記第１実施例と全く同様に外装材１Ｂを取り付けることができる。なお、図中の外装材１Ｂの面板部１１に付記したカタカナ符号は、「カ」が第１の工程で取り付ける外装材１Ｂとした場合に、「キ」が第２，第３の工程にて取り付ける外装材１Ｂを示し、「ク」が前記第４の工程にて取り付ける外装材１を示している。
【００４５】
図６に示す第３実施例及び図７に示す第４実施例に示す外装構造では、用いる外装材１Ｃ，１Ｄは、前記第１、第２実施例とは異なり、その水上側頂部１１１ｃ，１１１ｄが鋭角となるように取り付けられた縦長の菱型形であり、図６（ｂ）に拡大して示すように上下の角部が折り込まれた厳密には略六角形状の面板部１１ｃ，１１ｄを有する菱形外装材である。これらの外装材１Ｃ，１Ｄも、他の実施例と同様に面板部１１ｃ，１１ｄ周縁を表面側或いは裏面側に折曲して係合部１３ｃ，１３ｄ、被係合部１２ｃ，１２ｄを形成したものである。そして、外装材１Ｃでは、位置決め部１５ｃ，１６ｃが設けられる側端角部１１５ｃ，１１６ｃが鋭角状となり、外装材１Ｄでも、位置決め部１５ｄ，１６ｄが設けられる側端角部１１５ｄ，１１６ｄが鋭角状となる。
【００４６】
これらの第３実施例及び第４における下地である支持部材２Ｃ，２Ｄは、図６（ａ）及び図７に示すように等間隔（＝EI'）にて複数配設されるものであって、流れ方向（＝図面上の上下方向）に略直角状に交わるように配設されている。この支持部材２Ｃは、図６（ｃ）に示すように頂面部２１ｃと、側面を形成する縦面部２２ｃ，２２ｃと、該縦面部２２ｃ，２２ｃの下端を外側へ折り曲げて形成した固定部２３ｃ，２３ｃとからなる。
なお、この支持部材２Ｃの配設間隔（EI'）には断熱材３Ｃが配設され、その裏面側には異なる野地材等の断熱材４Ｃが配設されている。
【００４７】
また、第３実施例における外装材１Ｃでは、先鋭な水上端の角部を水下側へ折り返して水上側頂部１１１ｃとし、水下側へ折り返した先端が合わせ部１７ｃである。前記被係合部１２ｃは、水上側に位置する二辺に形成され、略一定幅に表面側に折曲されたものであるが、二辺が交差する中央部分では、折返し片が短く形成されている。前記係合部１３ｃは、水下側に位置する二辺に形成され、略一定幅に裏面側に折曲されたものである。
また、第３実施例における保持部材５Ｃは、略平坦状で略矩形状の固定部５１ｃと、その水下側を切り抜いて形成された閉鎖状の開口部５３ｃを備えるピース材であって、該開口部５３ｃの水下側の端縁から略団扇状に突出する舌状片の左右に外装材１Ｃの被係合部１２ｃに係合する係止部５２ｃ，５２ｃが設けられている。また、前記固定部５１ｃには、図示しない固定具を打ち込むための孔５１１ｃが設けられている。なお、開口部５３ｃは、外装材１の合わせ部１７ｃが隠されることなく目視可能であり、前述の位置調整を支障なく行うことができる。
【００４８】
この第３実施例において、外装材１Ｃには合わせ部１７ｃが設けられ、保持材５Ｃには孔５１１が設けられているので、この合わせ部１７ｃと孔５１１とを結ぶ直線（図中Ｙで示す二点鎖線）を合わせ部として用いることができる。そして、この第３実施例における位置調整は、前記二点鎖線Ｙを挟んで二つの外装材１Ｃ，１Ｃに設けた位置決め部１５ｃ，１６ｃが対向するように配置させる。
【００４９】
この第３実施例の外装構造においても、前記第１、第２実施例と同様に合わせ部（二点鎖線Ｙ）を目視しながら、その水上側に隣接させる外装材１Ｃの側端角部１１５ｃ，１１６ｃに形成した位置決め部１５ｃ，１６ｃを位置調整を行って外装材１Ｃを適正位置に取り付けることができる。また、前記外装材１Ｃは、等間隔（EI'）に配設した支持部材２Ｃに対し、水上側頂部１１１ｃを支持部材２Ｃ上にて確実に固定することができる。外装材１Ｃの支持部材２Ｃへの取付箇所は水上側頂部１１１ｃの一箇所であるが、隣接する外装材１Ｃ，１Ｃ同士が相互に係合するので、確実に固定できる。
【００５０】
また、第４実施例における外装材１Ｄでも、前記第３実施例における外装材１Ｃと同様に先鋭な水上端の角部を水下側へ折り返して水上側頂部１１１ｄとし、水下側へ折り返した先端が合わせ部１７ｄであり、この合わせ部１７ｄを通る水流れ方向に平行な直線（図中Ｚで示す二点鎖線）を合わせ部として用いることができる。
そして、この二点鎖線Ｚ上を、ビス等の固着具７の打ち込み位置とした。
この第４実施例の外装構造においても、前記第１〜３実施例と同様に合わせ部（二点鎖線Ｚ）を目視しながら、前記第３実施例と同様にその水上側に隣接する外装材１Ｄの側端角部１１５ｄ，１１６ｄに形成した位置決め部１５ｄ，１６ｄを位置調整を行って外装材１Ｄを適正位置に取り付けることができる。また、前記外装材１Ｄは、等間隔（EI'）に配設した支持部材２Ｄに対し、水上側頂部１１１ｄを支持部材２Ｄ上にて確実に固定することができる。即ち外装材１Ｄの支持部材２Ｄへの固定箇所は水上側頂部１１１ｄの一箇所（固着具６）であるが、隣接する外装材１Ｄ，１Ｄ同士が相互に係合するので、確実に固定できる。
【符号の説明】
【００５１】
１，１Ｂ，１Ｃ，１Ｄ  外装材
１１  面板部
１１１，１１１ｃ，１１１ｄ  水上側頂部
１１２  （水上側）辺
１１３  （水下側）辺
１１４  水下側角部
１１５，１１５ｃ，１１５ｄ，１１６，１１６ｃ，１１６ｄ  側端角部
１２，１２ｃ，１２ｄ  被係合部
１３，１３ｃ，１３ｄ  係合部
１４  係止受部
１５，１５ｃ，１５ｄ，１６，１６ｃ，１６ｄ  位置決め部
１７４，１７４ｃ，１７ｄ  合わせ部（突起）
２  下地（支持部材）
２１  頂面部
２２  縦面部
２３  固定部
４  断熱材
５，５Ｃ  保持材
５１  固定部
５１１  孔
５１２  合わせ部（切り込み）
５２  係止部
５３  段部
５３１  合わせ部（中央隅部）
６  軒端用外装材
６１  面板部
６１５，６１６  側端角部
６２  被係合部
６５，６６  位置決め部
６７  合わせ部（突起）
７  固着具
【図１】
2016217053.tif 000003
【図２】
2016217053.tif 000004
【図３】
2016217053.tif 000005
【図４】
2016217053.tif 000006
【図５】
2016217053.tif 000007
【図６】
2016217053.tif 000008
【図７】
2016217053.tif 000009